(57)【要約】【課題】ユーザーのニーズに応えることができる音声記憶機器を提供する。【解決手段】音声記憶装置１１は、音声解析部２１と、語句有無判断部２２と、記憶制御部２３とを備える。音声解析部２１は、マイクロフォン１４により入力された音声の中から音声に含まれる語句を解析する。語句有無判断部２２は、音声解析部２１により解析された音声に含まれる語句の中に、特定の語句が含まれているか否かを判断する。記憶制御部２３は、語句有無判断部２２により特定の語句が含まれていない部分については、音声のデータを第一の音量で記憶部１７に記憶し、語句有無判断部２２により特定の語句が含まれている部分については、音声のデータを消去するか、または音声のデータを第一の音量よりも小さい第二の音量で記憶部１７に記憶するよう制御する。【選択図】図２
2019211529.tif 000002
【特許請求の範囲】
【請求項１】
音声を記憶する音声記憶装置であって、
音声を入力させるマイクロフォンと、
前記音声のデータを記憶する記憶部と、
前記マイクロフォンにより入力された前記音声の中から前記音声に含まれる語句を解析する音声解析部と、
前記音声解析部により解析された前記音声に含まれる語句の中に、特定の語句が含まれているか否かを判断する語句有無判断部と、
前記語句有無判断部により前記特定の語句が含まれていない部分については、前記音声のデータを第一の音量で前記記憶部に記憶し、前記語句有無判断部により前記特定の語句が含まれている部分については、前記音声のデータを消去するか、または音声のデータを前記第一の音量よりも小さい第二の音量で前記記憶部に記憶するよう制御する記憶制御部とを備える、音声記憶装置。
【請求項２】
前記マイクロフォンにより入力された前記音声の声紋を取得する声紋取得部と、
前記声紋取得部により取得された前記音声の声紋が、予め定められた特定の人物の声紋と同じであるか否かを判断する声紋判断部とをさらに備え、
前記記憶制御部は、前記声紋判断部により前記特定の人物の声紋と同じでないと判断された前記声紋に相当する音声のデータを前記第一の音量で前記記憶部に記憶し、前記声紋判断部により前記特定の人物の声紋と同じであると判断された前記声紋に相当する音声のデータを消去するか、または前記声紋に相当する音声のデータを前記第二の音量で前記記憶部に記憶するよう制御する、請求項１に記載の音声記憶装置。
【請求項３】
前記マイクロフォンにより入力された前記音声の方向を検知する方向検知部と、
前記方向検知部により検知された前記音声の方向が、予め定められた特定の方向に相当するか否かを判断する方向判断部とをさらに備え、
前記記憶制御部は、前記方向判断部により前記特定の方向に相当しないと判断された前記音声のデータを前記第一の音量で前記記憶部に記憶し、前記方向判断部により前記特定の方向に相当すると判断された前記音声のデータを消去するか、または前記音声のデータを前記第二の音量で前記記憶部に記憶するよう制御する、請求項１または請求項２に記載の音声記憶装置。
【請求項４】
前記記憶部には、前記特定の語句のデータ、前記特定の人物の声紋のデータ、および前記特定の方向に関するデータのうちの少なくともいずれか一つが記憶されている、請求項３に記載の音声記憶装置。
【請求項５】
映像を入力させる撮影部をさらに備え、
前記記憶制御部は、前記撮影部により入力させる前記映像のデータを前記記憶部に記憶すると共に、前記マイクロフォンに入力させる前記音声のデータを前記記憶部に記憶するよう制御する、請求項１〜請求項４のいずれか１項に記載の音声記憶装置。
【請求項６】
前記マイクロフォンの指向性を変更することが可能である、請求項１〜請求項５のいずれか１項に記載の音声記憶装置。
【発明の詳細な説明】
【技術分野】
【０００１】
この発明は、音声記憶装置に関するものである。
【背景技術】
【０００２】
音声の処理に関する技術が、特開平７−３２７１８１号公報（特許文献１）、特開昭６３−１２１３９８号公報（特許文献２）、および特開平８−１８９４３号公報（特許文献３）に開示されている。
【０００３】
特許文献１には、受信ＴＶ信号中の映像信号に基づいて映像を得る映像回路と、前記受信ＴＶ信号中の音声信号に基づいて音声を得る音声回路とを備えるＴＶ受像機において、前記音声回路には、特定の音声信号を記憶するメモリと、順次入力される音声信号から前記記憶された特定音声信号の成分を消去する消去回路とを含む音声処理回路を備え、前記映像回路には前記音声処理回路における処理時間に相当する遅延時間を有する遅延回路を備えることを特徴とする特定の音声を消去可能なＴＶ受像機が開示されている。
【０００４】
特許文献２に開示の携帯用ビデオカメラは、ビデオカメラと、前記ビデオカメラに取り付けられ、目的とする音を収音する収音マイクと、ビデオカメラを操作している人の声を収音する話者マイクと、前記収音マイクの出力信号からビデオカメラを操作している人の音声だけを消去し出力するビデオカメラに内蔵されたエコーキャンセラとから構成されており、前記話者マイクが操作者の口元にくる位置に取り付けられ、前記エコーキャンセラが前記話者マイクの出力信号と、前記収音マイクの出力信号と前記エコーキャンセラの出力信号とから前記話者マイクから前記収音マイクまでの伝達特性を適応的に固定することを特徴としている。
【０００５】
特許文献３に開示のビデオ・システム（１００）は、有効発言者の動きを動的に追尾するためのビデオ・システム（１００）であって、（ａ）ビデオカメラ（１０２）と、（ｂ−１）前記有効発言者に対応付けられ、前記有効発言者からの音声勢力を受信し、その音声勢力に応答して位置信号を発信する音声作動式発信手段（１０４，６００）と、（ｃ）前記位置信号に応答して、前記有効発言者の動きを追尾するように前記ビデオ・カメラを姿勢調整するカメラ姿勢調整手段（１０６，７００）、とを有することを特徴としている。
【先行技術文献】
【特許文献】
【０００６】
【特許文献１】特開平７−３２７１８１号公報
【特許文献２】特開昭６３−１２１３９８号公報
【特許文献３】特開平８−１８９４３号公報
【発明の概要】
【発明が解決しようとする課題】
【０００７】
家庭用ビデオカメラやスマートフォン等の録画機器を用いて、家族や親族が出場するスポーツ大会や運動会、演奏会等を撮影する場合がある。撮影時には、録画、すなわち、映像を記憶すると共に、録音、すなわち、音声も記憶される。ここで、会場等においては、複数の知らない人からの音声も録音されることとなる。このような場合において、特定の人に対する暴言や心無い応援の音声については、後に撮影した動画を再生した際に聞きたくないものも多い。このような場合に、音声を一切録音しなければ、また、録画の再生時に音声を消去して映像だけを見ることにすれば暴言等も聞かずに済むが、他の音声、例えば、暖かい応援や歓声等も聞くことができないこととなる。このような状況は、好ましくない。上記した特許文献１〜特許文献３に開示の技術では、このような場合に対応することが困難である。
【０００８】
この発明の目的は、ユーザーのニーズに応えることができる音声記憶機器を提供することである。
【課題を解決するための手段】
【０００９】
この発明に係る音声記憶装置は、音声を記憶する。音声記憶装置は、マイクロフォンと、記憶部と、音声解析部と、語句有無判断部と、記憶制御部とを備える。マイクロフォンは、音声を入力させる。記憶部は、音声のデータを記憶する。音声解析部は、マイクロフォンにより入力された音声の中から音声に含まれる語句を解析する。語句有無判断部は、音声解析部により解析された音声に含まれる語句の中に、特定の語句が含まれているか否かを判断する。記憶制御部は、語句有無判断部により特定の語句が含まれていない部分については、音声のデータを第一の音量で記憶部に記憶し、語句有無判断部により特定の語句が含まれている部分については、音声のデータを消去するか、または音声のデータを第一の音量よりも小さい第二の音量で記憶部に記憶するよう制御する。
【発明の効果】
【００１０】
このような音声記憶装置によると、音声解析部により解析された音声に特定の語句が含まれていれば、その部分の音声のデータを消去または第一の音量よりも小さい第二の音量で記憶部に記憶することとしている。また、特定の語句が含まれていなければ、その部分の音声のデータを第一の音量で記憶部に記憶することとしている。そうすると、音声を再生する際に、特定の語句が含まれている部分を耳に入りにくくすることができる。したがって、このような音声記憶装置によれば、ユーザーのニーズに応えることができる。
【図面の簡単な説明】
【００１１】
【図１】この発明の第１実施形態に係る音声記憶装置をビデオカメラに適用した場合のビデオカメラの構成を示すブロック図である。
【図２】制御部の構成を示すブロック図である。
【図３】ビデオカメラにより映像を記憶すると共に音声を記憶する場合の処理の流れを示すフローチャートである。
【図４】（ａ）はこの発明の第２実施形態に係る音声記憶装置を適用したビデオカメラによる映像の撮影と音声の収録を説明するための模式図である。（ｂ）は第２実施形態に係るビデオカメラのマイクロフォンの設定部を示す図である。
【発明を実施するための形態】
【００１２】
以下、この発明の実施の形態を説明する。なお、以下の図面において同一または相当する部分には同一の参照番号を付しその説明は繰返さない。図１は、この発明の第１実施形態に係る音声記憶装置をビデオカメラに適用した場合のビデオカメラの構成を示すブロック図である。
【００１３】
図１を参照して、ビデオカメラ１１は、制御部１２と、操作部１３と、マイクロフォン１４と、撮影部１５と、バッテリー１６と、記憶部としてのハードディスク１７と、ネットワークと接続するためのネットワークインターフェース部１８とを備える。
【００１４】
制御部１２は、ビデオカメラ１１全体の制御を行う。なお、制御部１２は、ＣＰＵ等から構成されており、一時的にデータを記憶する主記憶メモリ１９を含む。操作部１３は、ビデオカメラ１１側から発信する情報やユーザーの入力内容を表示するタッチパネル型式の表示部としての表示画面２０を含む。操作部１３は、録画の開始の指示や画像の拡大、縮小、音声の消去といった撮影に関するユーザーからの入力を受け付ける。マイクロフォン１４は、音声を入力させる。この場合、マイクロフォン１４は、音声を電気信号に変換して入力させる。マイクロフォン１４は、人間が発する音声の他、騒音や環境音等といった音も入力させる。なお、マイクロフォン１４にノイズを除去するフィルターが取り付けられていてもよい。撮影部１５は、カメラ機能を有し、映像を撮影する。バッテリー１６には、ビデオカメラ１１の駆動に要する電力が蓄えられている。ハードディスク１７は、撮影部１５により撮影された映像のデータや、マイクロフォン１４により入力された音声のデータを記憶する。また、ハードディスク１７には、ビデオカメラ１１の設定や操作条件等、他の種々のデータが記憶されている。なお、ハードディスク１７には、いずれも後述する特定の語句のデータ、特定の人物の声紋のデータ、および特定の方向に関するデータのうちの少なくともいずれか一つが記憶されているよう構成してもよい。ネットワークインターフェース部１８を介して、ビデオカメラ１１の外部とのハードディスク１７に記憶されたデータの授受を行うことができる。
【００１５】
次に、上記した制御部１２の構成について説明する。図２は、制御部１２の構成を示すブロック図である。図２を参照して、制御部１２は、音声解析部２１と、語句有無判断部２２と、記憶制御部２３と、声紋取得部２４と、声紋判断部２５と、方向検知部２６と、方向判断部２７とを備える。音声解析部２１は、マイクロフォン１４により入力された音声の中から音声に含まれる語句を解析する。語句有無判断部２２は、音声解析部２１により解析された音声に含まれる語句の中に、特定の語句が含まれているか否かを判断する。記憶制御部２３は、語句有無判断部２２により特定の語句が含まれていない部分については、音声のデータを第一の音量でハードディスク１７に記憶し、語句有無判断部２２により特定の語句が含まれている部分については、音声のデータを第一の音量よりも小さい第二の音量でハードディスク１７に記憶するよう制御する。声紋取得部２４は、マイクロフォン１４により入力された音声の声紋を取得する。声紋判断部２５は、声紋取得部２４により取得された音声の声紋が、予め定められた特定の人物の声紋と同じであるか否かを判断する。記憶制御部２３は、声紋判断部２５により特定の人物の声紋と同じでないと判断された声紋に相当する音声のデータを第一の音量でハードディスク１７に記憶し、声紋判断部２５により特定の人物の声紋と同じであると判断された声紋に相当する音声のデータを第二の音量でハードディスク１７に記憶するよう制御する。方向検知部２６は、マイクロフォン１４により入力された音声の方向を検知する。方向判断部２７は、方向検知部２６により検知された音声の方向が、予め定められた特定の方向に相当するか否かを判断する。記憶制御部２３は、方向判断部２７により特定の方向に相当しないと判断された音声のデータを第一の音量でハードディスク１７に記憶し、方向判断部２７により特定の方向に相当すると判断された音声のデータを第二の音量でハードディスク１７に記憶するよう制御する。これらの構成については、後に詳述する。
【００１６】
次に、この発明の一実施形態に係るビデオカメラ１１により撮影する場合、すなわち、映像を記憶すると共に音声を記憶する場合について説明する。図３は、ビデオカメラ１１により映像を記憶すると共に音声を記憶する場合の処理の流れを示すフローチャートである。なお、ここでは、親が子供のサッカーの試合を観戦し、その模様をビデオカメラ１１で観客席から撮影している状況とする。なお、ハードディスク１７には、特定の語句のデータとして「下手」との語句、特定の人物の声紋のデータとして「人物Ｘ」の声紋のデータ、特定の方向に関するデータとして、相手チームの応援団が着席する側である「右方向」というデータが記憶されているものとする。
【００１７】
図３を参照して、ビデオカメラ１１による撮影を開始し、撮影部１５により映像を記憶すると共に、マイクロフォン１４により音声が入力される（図３において、ステップＳ１１、以下、「ステップ」を省略する）。なお、マイクロフォン１４により入力された音声のデータについては、主記憶メモリ１９に一時的に記憶される。そして、音声解析部２１は、マイクロフォン１４により入力された音声の中から音声に含まれる語句を解析する（Ｓ１２）。そして、語句有無判断部２２は、音声解析部２１により解析された音声に含まれる語句の中に、特定の語句が含まれているか否かを判断する（Ｓ１３）。この場合、語句有無判断部２２は、音声に含まれる語句の中に「下手」との語句が含まれているか否かを判断する。
【００１８】
そして、記憶制御部２３は、語句有無判断部２２により特定の語句が含まれている部分については、音声のデータを第一の音量よりも小さい第二の音量でハードディスク１７に記憶するよう制御する（Ｓ１３において、ＹＥＳ、Ｓ１４）。具体的には、例えば、「下手」との語句が含まれる文章そのものをビデオカメラ１１において可能な最小の音量でハードディスク１７に記憶するよう制御する。また、語句有無判断部２２により特定の語句が含まれていない部分について、声紋取得部２４は、音声の声紋を取得する（Ｓ１５）。そして、声紋判断部２５は、声紋取得部２４により取得された音声の声紋が、予め定められた特定の人物の声紋と同じであるか否かを判断する（Ｓ１６）。この場合、声紋判断部２５は、音声の声紋のデータが、特定の「人物Ｘ」の声紋のデータと一致するか否かを判断する。
【００１９】
そして、記憶制御部２３は、声紋判断部２５により特定の人物である「人物Ｘ」の声紋と同じであると判断された声紋に相当する音声のデータを第二の音量でハードディスク１７に記憶するよう制御する（Ｓ１６において、ＹＥＳ、Ｓ１４）。また、語句有無判断部２２により声紋のデータが一致しない部分について、方向検知部２６は、音声の方向を検知する（Ｓ１７）。方向判断部２７は、方向検知部２６により検知された音声の方向が、予め定められた特定の方向に相当するか否かを判断する（Ｓ１８）。
【００２０】
そして、記憶制御部２３は、方向判断部２７により特定の方向である「右方向」に相当する音声のデータを第二の音量でハードディスク１７に記憶するよう制御する（Ｓ１８において、ＹＥＳ、Ｓ１４）。一方、方向判断部２７により特定の方向である「右方向」に相当しないと判断された音声のデータを第一の音量でハードディスク１７に記憶するよう制御する（Ｓ１９）。具体的には、マイクロフォン１４に入力された音声をそのままの音量でハードディスク１７に記憶するよう制御する。これを撮影が終了するまで行う（Ｓ２０）。
【００２１】
このようなビデオカメラ１１によると、音声解析部２１により解析された音声に特定の語句が含まれていれば、その部分の音声のデータを第一の音量よりも小さい第二の音量でハードディスク１７に記憶することとしている。また、特定の語句が含まれていなくとも、特定の人物の声紋と同じであると判断されれば、声紋に相当する音声のデータを第二の音量でハードディスク１７に記憶することとしている。また、特定の人物の声紋と同じであると判断されなくとも、特定の方向に相当すると判断された音声のデータを第二の音量でハードディスク１７に記憶することとしている。そうすると、音声を再生する際に、特定の語句が含まれている部分、特定の人物の音声、および特定の方向からの音声を耳に入りにくくすることができる。したがって、このようなビデオカメラ１１によれば、ユーザーのニーズに応えることができる。
【００２２】
この場合、記憶制御部２３は、撮影部１５により入力させる映像のデータをハードディスク１７に記憶すると共に、マイクロフォン１４に入力させる音声のデータをハードディスク１７に記憶するよう制御することとしているため、より適切に映像に合わせて音声を記憶することができる。
【００２３】
なお、上記の実施の形態においては、記憶制御部２３は、語句有無判断部２２により特定の語句が含まれている部分については、音声のデータを第一の音量よりも小さい第二の音量でハードディスク１７に記憶するよう制御することとしたが、これに限らず、語句有無判断部２２により特定の語句が含まれている部分については、音声のデータを消去するようにしてもよい。こうすることにより、より確実に特定の語句が含まれている部分の音声を耳に入れなくすることができる。同様に、記憶制御部２３は、声紋判断部２５により特定の人物の声紋と同じであると判断された声紋に相当する音声のデータを消去するようにしてもよい。また、同様に、記憶制御部２３は、方向判断部２７により特定の方向に相当すると判断された音声のデータを消去するようにしてもよい。
【００２４】
また、上記の実施の形態において、記憶制御部２３は、語句有無判断部２２により特定の語句が含まれている部分については、音声を第二の音量で記憶するか音声を消去するかを選択させる構成としてもよい。こうすることにより、ユーザーの要求に応じた処理を行うことができる。同様に、記憶制御部２３は、声紋判断部２５により特定の人物の声紋と同じであると判断された声紋に相当する音声を第二の音量で記憶するか音声のデータを消去するかを選択させる構成としてもよい。また、同様に、記憶制御部２３は、方向判断部２７により特定の方向に相当すると判断された音声を第二の音量で記憶するか音声のデータを消去するかを選択させる構成としてもよい。なお、これらの選択については、各個別で行うことができるようにしてもよいし、撮影の前または撮影の途中で選択できるようにしてもよい。
【００２５】
なお、上記の実施の形態において、記憶制御部２３は、語句有無判断部２２により特定の語句が含まれていない部分については、音声のデータを第一の音量でハードディスク１７に記憶し、語句有無判断部２２により特定の語句が含まれている部分については、音声のデータを消去するか、または音声のデータを第一の音量よりも小さい第二の音量でハードディスク１７に記憶するよう制御する構成のみとしてもよい。この場合、声紋取得部２４、声紋判断部２５、方向検知部２６、および方向判断部２７を備えない構成としてもよい。
【００２６】
また、上記の実施の形態において、記憶制御部２３は、語句有無判断部２２により判断の後、声紋判断部２５により特定の人物の声紋と同じでないと判断された声紋に相当する音声のデータを第一の音量でハードディスク１７に記憶し、声紋判断部２５により特定の人物の声紋と同じであると判断された声紋に相当する音声のデータを消去するか、または声紋に相当する音声のデータを第二の音量でハードディスク１７に記憶するよう制御する構成のみとしてもよい。この場合、方向検知部２６、および方向判断部２７を備えない構成としてもよい。
【００２７】
また、上記の実施の形態において、記憶制御部２３は、語句有無判断部２２により判断の後、方向判断部２７により特定の方向に相当しないと判断された音声のデータを第一の音量でハードディスク１７に記憶し、方向判断部２７により特定の方向に相当すると判断された音声のデータを消去するか、または音声のデータを第二の音量でハードディスク１７に記憶するよう制御する構成としてもよい。この場合、声紋取得部２４、および声紋判断部２５を備えない構成としてもよい。
【００２８】
なお、上記の実施の形態においては、映像を入力させる撮影部１５を備え、記憶制御部２３は、撮影部１５により入力させる映像のデータをハードディスク１７に記憶すると共に、マイクロフォンに入力させる音声のデータをハードディスク１７に記憶するよう制御することとしたが、これに限らず、撮影部１５を備えず、音声のみをハードディスク１７に記憶するよう制御することとしてもよい。
【００２９】
また、上記の実施の形態において、ハードディスク１７には、特定の語句のデータ、特定の人物の声紋のデータ、および特定の方向に関するデータのうちの少なくともいずれか一つが記憶されており、他のデータについては、ネットワークインターフェース部１８を介してデータを取得するようにしてもよい。
【００３０】
次に、この発明の第２実施形態について説明する。図４（ａ）は、この発明の第２実施形態に係る音声記憶装置を適用したビデオカメラによる映像の撮影と音声の収録を説明するための説明図である。また、図４（ｂ）は、第２実施形態に係るビデオカメラのマイクロフォンの設定部を示す図である。
【００３１】
図４（ａ）では、ＡチームとＢチームのサッカーの試合を観戦中にビデオカメラ１０２でフィールド１００を撮影している状況を示している。図中の黒丸はＡチームの選手の位置を示し、白丸はＢチームの選手の位置を示している。フィールド１００の側方には長手方向に沿って観客席１０１が設けられている。観客席１０１はＡチームの応援席１０１ＡとＢチームの応援席１０１Ｂに分かれている。撮影者はＡチームの応援者であり、応援席１０１Ａのフィールド１００の中央付近の位置にいて、ビデオカメラ１０２により撮影を行っている。
【００３２】
図４（ａ）における点線１０２Ａは、ビデオカメラ１０２の水平方向の画像角度を示している。また、一点鎖線１０２Ｂはビデオカメラ１０２のマイクロフォンの指向性（感度のある方向）を示している。第２実施形態におけるビデオカメラ１０２の画像角度は約６０度である。
【００３３】
また、ビデオカメラ１０２のマイクロフォンは撮影者が指向性を設定することが可能である。図４（ｂ）に示すように、ビデオカメラ１０２のマイクロフォンの指向性は範囲と方向の設定が可能である。ビデオカメラ１０２にはマイク設定部１０３が設けられている。マイク設定部１０３には、指向性の範囲を選択する２つのボタン１０３Ａ、１０３Ｂと、指向性の方向を選択する３つのボタン１０３Ｃ、１０３Ｄ，１０３Ｅが設けられている。「広」と表記されたボタン１０３Ａを押すと、マイクロフォンの感度は水平方向に対して２７０度の範囲に設定される。「狭」と表記されたボタン１０３Ｂを押すと、マイクロフォンの感度は水平方向に対して１８０度の範囲に設定される。また、「前」と表されたボタン１０３Ｄを押すと、マイクロフォンの指向性の範囲の中心が、点線１０２Ａで示す画像角度の二等分線の方向に一致するように設定される。「左」と表されたボタン１０３Ｃを押すと、マイクロフォンの指向性の範囲の中心が、点線１０２Ａで示す画像角度の二等分線の方向から９０度左方向に回転した位置に設定される。「右」と表されたボタン１０３Ｅを押すと、マイクロフォンの指向性の範囲の中心が、点線１０２Ａで示す画像角度の二等分線の方向から９０度右方向に回転した位置に設定される。
【００３４】
第２実施形態において、マイク設定部１０３は装置本体に設けてもよいし、撮影画像の表示画面に表示して画面のタッチにより設定する構成としてもよい。また、第２実施形態におけるマイクロフォンの指向性の設定は、マイクロフォンの向きをユーザーが手動で機械的に変更する構成でもよい。
【００３５】
図４（ａ）には、ビデオカメラ１０２のマイクロフォンの設定において、指向性の範囲を１８０度に設定し、指向性の方向を点線１０２Ａで示す画像角度の二等分線の方向から９０度左方向に回転した位置に設定した状態を示している。第２実施形態においては、マイクロフォンの指向性の設定が可能であるため、図４（ａ）に示すように、応援席１０１Ａの音声を優先的に収録することが可能である。したがって、撮影者はボタンを押す簡単な操作により応援しているチームの応援席の音声を優先的に録音することが可能である。
【００３６】
また、第２実施形態のビデオカメラ１０２において、第１実施形態の音声データの処理を実施すると、小さな負荷で音声データを処理できるとともに、処理後の音声データの品質を向上させることができる。
【００３７】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３８】
この発明に係る音声記憶装置は、ユーザーのニーズに応えることが要求される場合に、特に有効に利用される。
【符号の説明】
【００３９】
１１，１０２  ビデオカメラ、１２  制御部、１３  操作部、１４  マイクロフォン、１５  撮影部、１６  バッテリー、１７  ハードディスク、１８  ネットワークインターフェース部、１９  主記憶メモリ、２０  表示画面、２１  音声解析部、２２  語句有無判断部、２３  記憶制御部、２４  声紋取得部、２５  声紋判断部、２６  方向検知部、２７  方向判断部、１００  フィールド、１０１  観客席、１０１Ａ，１０１Ｂ  応援席、１０２Ａ  点線、１０２Ｂ  一点鎖線、１０３  マイク設定部、１０３Ａ，１０３Ｂ，１０３Ｃ，１０３Ｄ，１０３Ｅ  ボタン。
【図１】
2019211529.tif 000003
【図２】
2019211529.tif 000004
【図３】
2019211529.tif 000005
【図４】
2019211529.tif 000006